(57)【特許請求の範囲】
【請求項１】
排熱を回収するための回収デバイス（１０）であって、前記回収デバイス（１０）は、排気ガス入口部（１６）とガス出口部（１８）との間に延在しており、前記回収デバイス（１０）は、
前記排気ガス入口部（１６）と前記ガス出口部（１８）との間に直接的なガス通路（１９）を画定するバルブ（１２）であって、前記バルブ（１２）は、バルブ本体部（２０）を含み、前記バルブ本体部（２０）は、前記ガス出口部（１８）を含み、また、前記直接的なガス通路（１９）の閉鎖位置と解放位置との間で枢動リンク（２８）の周りに移動可能なゲート（２６）を収容している、バルブ（１２）と、
前記ゲート（２６）の上流で前記バルブ（１２）と連通する交換器入口部（３６）、および、前記ゲート（２６）の下流で前記バルブ（１２）と連通する交換器出口部（３８）を含む、熱交換器（１４）と
を含む、回収デバイス（１０）において、
前記バルブ（１２）は、前記排気ガス入口部（１６）を含むチューブ（２２）を含み、前記チューブ（２２）は、遠位端部マウス縁部（２４）まで、部分的に前記バルブ本体部（２０）の内側に延在しており、前記遠位端部マウス縁部（２４）は、平面の中に延在しており、
前記ゲート（２６）は、平面的な接触表面（３０）を有しており、前記平面的な接触表面（３０）は、前記ゲート（２６）が前記閉鎖位置にある場合に、前記チューブ（２２）の前記遠位端部マウス縁部（２４）と直接接触することを意図しており、
前記回収デバイス（１０）は、前記チューブ（２２）と前記熱交換器（１４）との間に延在する中間パイプ（４０）を含み、前記中間パイプ（４０）は入口部を有し、前記回収デバイスは、前記中間パイプ（４０）の前記入口部において、前記排気ガス入口部（１６）から来るガスを前記直接的なガス通路（１９）に向けてガイドすることができる上流デフレクター（４２）を含み、
前記回収デバイス（１０）は、下流デフレクター（４４）を含み、前記下流デフレクター（４４）は、前記中間パイプ（４０）の前記入口部の下流の前記チューブ（２２）の中に配置されており、前記下流デフレクター（４４）は、前記中間パイプ（４０）の一部によって形成されていることを特徴とする、回収デバイス（１０）。
【請求項２】
前記上流デフレクター（４２）は、前記中間パイプ（４０）の一部によって形成されており、前記チューブ（２２）の中に延在している、請求項１に記載の回収デバイス（１０）。
【請求項３】
前記回収デバイス（１０）は、下流デフレクター（４４）を含み、前記下流デフレクター（４４）は、前記中間パイプ（４０）の前記入口部から下流の前記チューブ（２２）の中に配置されており、前記上流デフレクター（４２）は、前記下流デフレクター（４４）の高さよりも高い高さにわたって、前記チューブ（２２）の中に前進している、請求項１又は２に記載の回収デバイス（１０）。
【請求項４】
前記チューブ（２２）は、長手方向軸線（Ｘ）に沿って延在しており、前記遠位端部マウス縁部（２４）は、前記長手方向軸線（Ｘ）に対して、６０°から９０°の間に含まれる角度を形成する平面の中に延在している、請求項１から３のいずれか一項に記載の回収デバイス（１０）。
【請求項５】
前記チューブ（２２）は、長円形断面を有している、請求項１から４のいずれか一項に記載の回収デバイス（１０）。
【請求項６】
前記ゲート（２６）を支承する前記枢動リンク（２８）は、２つの整合させられた半関節体（２８Ａ、２８Ｂ）によって形成されており、前記半関節体（２８Ａ、２８Ｂ）は、前記チューブ（２２）の両側に配置されており、前記枢動リンク（２８）は、前記チューブ（２２）を通過する軸線（Ｒ）を有している、請求項１から５のいずれか一項に記載の回収デバイス（１０）。
【請求項７】
前記ゲート（２６）は、金属リブ（３２）を含み、前記金属リブ（３２）は、前記チューブ（２２）の前記遠位端部マウス縁部（２４）と接触することを意図している、請求項１から６のいずれか一項に記載の回収デバイス（１０）。
【請求項８】
前記ゲート（２６）は、ライザー（３４）を含む、請求項１から７のいずれか一項に記載の回収デバイス（１０）。
【請求項９】
前記ライザー（３４）は、前記ゲート（２６）が前記解放位置にある場合に、前記交換器出口部（３８）を妨害するように構成されている、請求項８に記載の回収デバイス（１０）。
【請求項１０】
前記交換器出口部（３８）には、前記ゲート（２６）が前記解放位置にある場合に、前記熱交換器の前記交換器出口部（３８）におけるガスに関して利用可能なスペースを低減させる調節されたリングが設けられている、請求項９に記載の回収デバイス（１０）。
【請求項１１】
前記ライザー（３４）は、湾曲した形状を有しており、前記湾曲した形状は、前記ゲート（２６）が前記閉鎖位置と前記解放位置との間の所定の中間位置にある場合に、前記交換器出口部（３８）を妨害するように構成されている、請求項９または１０に記載の回収デバイス（１０）。
【請求項１２】
請求項１から１１のいずれか一項に記載の回収デバイス（１０）を製造するための方法であって、前記方法は、
前記チューブ（２２）を提供するステップと、
前記チューブ（２２）の上にゲートサポート（２０）を装着するステップと、
前記ゲートサポート（２０）の上に前記ゲート（２６）を組み立てるステップであって、前記枢動リンク（２８）は、遊びを伴って装着される、ステップと、
前記遠位端部マウス縁部（２４）と直接的な接触をした状態で、前記ゲート（２６）を前記閉鎖位置に位置決めするステップと、
前記ゲート（２６）を前記閉鎖位置に位置決めする前記ステップを考慮して、前記ゲートサポート（２０）に対して前記枢動リンク（２８）の位置を設定するステップと
を含むことを特徴とする、方法。
【発明の詳細な説明】
【技術分野】
【０００１】
本発明は、とりわけ自動車のための、排熱回収デバイスに関する。
【背景技術】
【０００２】
排気ガスの中に含有されている熱エネルギーは、燃料の中に含有されているエネルギーの約３０％に相当する。熱回収デバイスは、このエネルギーを、別の流体に、たとえば、エンジン冷却剤または油などに伝達することを意図している。
【０００３】
従来技術において、とりわけ、特許文献１によれば、排気ラインのための熱回収デバイスであって、熱回収デバイスは、排気ガス入口部と出口部との間に延在しており、熱回収デバイスは、
−  排気ガス出口部に向けてガス通路を画定するバルブであって、バルブは、通路の閉鎖位置と自由位置との間で枢動リンクの周りに移動可能なゲートを収容している、バルブと、
−  ゲートから上流においてバルブと連通する交換器入口部、および、ゲートから下流においてバルブと連通する交換器出口部を含む、熱交換器と
を含む、熱回収デバイスがすでに公知である。
【０００４】
熱交換器は、この熱交換器を通過する排気ガスと、熱伝達流体、とりわけ、冷却剤との間の熱の交換を可能にすることを意図している。
【０００５】
ゲートが閉鎖位置にあるときには、排気ガスの循環は、入口部からガス出口部に向けて熱交換器を通ることを強要される。ゲートが自由位置にあるときには、排気ガスは、バルブによって画定される通路を通って循環し、次いで、交換器は非活性状態になっている。
【０００６】
そのようなデバイスでは、ゲートは、バルブの中に配置されている平坦なシェルによって形成されたシートに当接している。
【０００７】
そのようなシェルは、バルブの中に溶接されており、溶接によって放出される熱の影響の下でこのシェルが変形するリスクが存在するようになっている。このケースでは、閉鎖位置におけるシェルとバルブとの間の密封性が、正しく提供されない場合もある。
【０００８】
また、従来技術において、とりわけ、特許文献２によれば、ゲートのためのシートが円錐状のシェルによって支持されている熱回収デバイスであって、次いで、ゲートが、相補的な円錐状の形状を有している、熱回収デバイスが公知である。また、円錐状のシェルは、バルブの中に溶接されている。
【０００９】
また、密封性は、このデバイスの中に提供することが困難である。その理由は、円錐状のシェルが、また、それがバルブの中に溶接されるときに変形させられるリスクを有するからである。また、ゲートの形状は、取得することが困難であり、その形状も、また、ゲートの設計の間に潜在的に変形を受ける。シェルまたはゲートのさらなる任意の変形は、シェルおよびこのゲートの相対的な位置を修正し、次いで、リークを引き起こす。
【先行技術文献】
【特許文献】
【００１０】
【特許文献１】ＦＲ３，０３１，１４０
【特許文献２】特開２０１６−０４４６６６号明細書
【発明の概要】
【発明が解決しようとする課題】
【００１１】
本発明は、とりわけ、改善された密封性を備えた熱回収デバイスを提案することによって、これらの欠点を解決することを目標とする。
【課題を解決するための手段】
【００１２】
その目的のために、本発明は、とりわけ、排熱を回収するためのデバイスであって、デバイスは、排気ガス入口部と出口部との間に延在しており、デバイスは、
−  排気ガス入口部と出口部との間に直接的なガス通路を画定するバルブであって、バルブは、バルブ本体部を含み、バルブ本体部は、ガス出口部を含み、また、通路の閉鎖位置と自由位置との間で枢動リンクの周りに移動可能なゲートを収容している、バルブと、
−  ゲートから上流においてバルブと連通する交換器入口部、および、ゲートから下流においてバルブと連通する交換器出口部を含む、熱交換器と
を含む、デバイスにおいて、
−  バルブは、排気ガス入口部を含むチューブを含み、チューブは、遠位端部マウス縁部まで、部分的にバルブ本体部の内側に延在しており、前記マウス縁部は、平面の中に延在しており、
−  ゲートは、平面的な接触表面を有しており、平面的な接触表面は、ゲートが閉鎖位置にあるときに、チューブの前記マウス縁部と直接的な接触をした状態になることを意図していることを特徴とする、デバイスに関する。
【００１３】
本発明によれば、チューブのマウス縁部は平面的になっており、また、ゲートは平面的になっており、平面／平面接触を取得するようになっており、平面／平面接触のために、密封性が制御しやすい。
【００１４】
マウス縁部は、一般的に、チューブをカットすることによって、とりわけ、レーザー切断によって取得される。チューブがバルブの中に組み立てられるときに、このチューブの任意の起こり得る変形は、マウス縁部の平坦性を修正しない。
【００１５】
したがって、回収デバイスを装着するために必要な複数の溶接動作の影響は、ほんのわずかにだけしか密封性に影響を与えない。
【００１６】
そのうえ、平面的なゲートは設計しやすく、その設計の間のゲートの変形のリスクが非常に限定されるようになっている。
【００１７】
本発明による熱回収デバイスは、以下の特徴のうちの１つまたは複数をさらに含むことが可能であり、それは、単独で、または、任意の技術的に可能な組み合わせで考えられる。
【００１８】
−  回収デバイスは、チューブと熱交換器との間に延在する中間パイプを含む。
【００１９】
−  回収デバイスは、中間パイプの入口部において、ガス入口部から来るガスを通路に向けてガイドすることができる上流デフレクターを含む。
【００２０】
−  上流デフレクターは、中間パイプの一部によって形成されており、チューブの中に延在している。
【００２１】
−  回収デバイスは、下流デフレクターを含み、下流デフレクターは、中間パイプの入口部の下流のチューブの中に配置されており、下流デフレクターは、たとえば、中間パイプの一部によって形成されている。
【００２２】
−  回収デバイスは、下流デフレクターを含み、下流デフレクターは、中間パイプの入口部から下流のチューブの中に配置されており、上流デフレクターは、下流デフレクターの高さよりも高い高さにわたって、チューブの中に前進している。
【００２３】
−  チューブは、長手方向軸線に沿って延在しており、マウス縁部は、長手方向軸線に対して、６０°から９０°の間に含まれる角度、たとえば、６０°に等しい角度、または、９０°に等しい角度を形成する平面の中に延在している。
【００２４】
−  チューブは、長円形断面を有している。
【００２５】
−  ゲートを支承する枢動リンクは、２つの整合させられた半関節体（half-articulation）によって形成されており、半関節体は、チューブのいずれかの側に配置されており、枢動リンクは、チューブを通過する軸線を有している。
【００２６】
−  ゲートは、金属リブを含み、金属リブは、チューブのマウス縁部と接触することを意図している。
【００２７】
−  ゲートは、ライザーを含む。
【００２８】
−  ライザーは、ゲートが解放位置にあるときに、交換器出口部を妨害するように構成されており、交換器出口部は、好ましくは、調節されたリングを提供されており、調節されたリングは、ゲートが解放位置にあるときに、交換器の出口部におけるガスに関して利用可能なスペースを低減させる。
【００２９】
−  ライザーは、湾曲した形状を有しており、湾曲した形状は、ゲートが閉鎖位置と解放位置との間の所定の中間位置にあるときに、交換器出口部を妨害するように構成されている。
【００３０】
また、本発明は、以前に定義されているような回収デバイスを製造するための方法であって、方法は、
−  チューブを提供するステップと、
−  チューブの上にゲートサポートを装着するステップと、
−  ゲートサポートの上にゲートを組み立てるステップであって、枢動リンクは、遊びを伴って装着される、ステップと、
−  マウス縁部と直接的な接触をした状態で、ゲートを閉鎖位置に位置決めするステップと、
−  ゲートを閉鎖位置に位置決めするステップを考慮して、ゲートサポートに対して枢動リンクの位置を設定するステップと
を含むことを特徴とする、方法に関する。
【００３１】
本発明は、以下の説明を読むと、より良好に理解されることとなり、以下の説明は、単なる例として提供されており、添付の図を参照して行われる。
【図面の簡単な説明】
【００３２】
【図１】閉鎖位置にあるゲートを含む、本発明の１つの例示的な実施形態による熱回収デバイスの縦断面図である。
【図２】解放位置にあるゲートを含む、本発明の１つの例示的な実施形態による熱回収デバイスの縦断面図である。
【図３】ゲートを支持する枢動リンクを含む平面における、図１の回収デバイスの断面図である。
【図４】１つの代替的な実施形態による、これらの図１および図２の回収デバイスの中間パイプの図１および図２の同じ切断平面における図である。
【発明を実施するための形態】
【００３３】
図１および図２は、熱回収デバイス１０を示しており、熱回収デバイス１０は、車両、典型的に、自動車、たとえば、乗用車またはトラックの排気ラインの中に挿入されることを意図している。
【００３４】
回収デバイス１０は、熱エネルギーの一部を排気ガスから回収し、それを熱伝達流体へ、たとえば、エンジン冷却剤へ、または、乗客コンパートメントの加熱回路へ伝達することを意図している。
【００３５】
回収デバイス１０は、並列に配置されているバルブ１２および熱交換器１４を含む。
【００３６】
バルブ１２は、排気ガス入口部１６および排気ガス出口部１８を有している。バルブ１２は、入口部１６から出口部１８へ、排気ガスのための直接的な通路１９を内向きに画定している。
【００３７】
バルブ１２は、出口部１８を含むバルブ本体部２０と、バルブ本体部２０の中に部分的に延在するチューブ２２とを含み、チューブ２２は、入口部１６を含む。
【００３８】
バルブ本体部２０は、たとえば、２つのエレメントから構成されており、２つのエレメントは、下側ハーフシェル２０Ａおよび上側ハーフシェル２０Ｂである（とりわけ、図３に示されている）。これらの下側ハーフシェル２０Ａおよび上側ハーフシェル２０Ｂは、平坦な輪郭をそれぞれ含み、これらのハーフシェル２０Ａ、２０Ｂは、これらの平坦な輪郭を重ね合わせることによって互いに組み立てられる。「フラット・オン・フラット」溶接は、それらを従来的に組み立てることを可能にする。
【００３９】
説明されている例では、チューブ２２は、円形断面を有している。しかし、代替的に、チューブ２２は、長円形断面を有している。長円形チューブは、デバイス１０の高さを低減させることを可能にする。そのような長円形チューブは、長さ方向にカットされた２つのハーフチューブを組み立てることによって、または、円形断面を有するチューブからハイドロフォーミング方法を使用することによって、取得され得る。
【００４０】
チューブ２２は、遠位端部マウス縁部２４を含み、遠位端部マウス縁部２４は、バルブ本体部２０の中に配置されている。このマウス縁部２４は、バルブ本体部２０の中に延在するチューブ２２の一部の端部にある。
【００４１】
マウス縁部２４は、完全に平面の中に延在している。たとえば、この平面は、有利には６０°から９０°の間に含まれる角度だけ、長手方向Ｘに対して傾けられており、チューブ２２は、長手方向Ｘに沿って延在している。
【００４２】
また、バルブ１２は、ゲート２６を含み、ゲート２６は、通路１９の閉鎖位置（図１に示されている）と解放位置（図２に示されている）との間で、枢動リンク２８の周りで移動可能である。枢動リンク２８は、取り付けられているサポートエレメントによって支持されている。
【００４３】
図３に示されているように、枢動リンク２８は、たとえば、２つの整合させられた半関節体２８Ａ、２８Ｂによって形成されており、半関節体２８Ａ、２８Ｂは、チューブ２２のいずれかの側に配置されており、枢動リンク２８は、チューブ２２を通過する軸線Ｒを有している。枢動リンク２８のこの配置は、バルブ本体部２０の高さを低減させることを可能にする。
【００４４】
半関節体２８Ａ、２８Ｂは、バルブ本体部２０によって、より具体的には、下側ハーフシェル２０Ａによって、それぞれ支持されている。
【００４５】
有利には、枢動リンク２８は、端部縁部２４に対して入口部１６に向けてわずかにオフセットされており、次いで、ゲート２６は、軸線Ｒに対してオフセットされている。
【００４６】
したがって、同じ開口部角度に関して、枢動リンクがマウス縁部２４の平面の中に配置されているケースよりも、枢動リンク２８がオフセットされている場合に、ゲート２６とマウス縁部２４との間の開口部は大きくなる。そのうえ、そのようなオフセットされた枢動リンク２８を支承するゲート２６は、その枢動リンクがマウス縁部２４の平面の中に配置されているゲートよりも、排気ガスの脈動に対する感度が低い。
【００４７】
ゲート２６は、平面的な接触表面３０を有しており、平面的な接触表面３０は、ゲート２６が閉鎖位置にある場合に、チューブ２２のマウス縁部２４と直接的な接触をすることを意図している。「直接的な接触」は、ゲートがマウス縁部２４の上に直接的に置かれ、このマウス縁部２４が追加的な中間エレメントを担持しないということを意味している。
【００４８】
ゲート２６は、このゲート２６に固定されているレバーを使用して、従来的に作動させられ、レバーは、従来的な作動手段、たとえば、ワックス手段または電気的手段によって移動させられる。
【００４９】
マウス縁部２４の平面と長手方向Ｘとの間の角度は、好ましくは、デバイスがワックス作動手段を含むときには、６０°に実質的に等しくなっており、好ましくは、デバイスが電気的作動手段を含むときには、９０°に実質的に等しくなっているということが留意されるべきである。
【００５０】
また、９０°の角度は、それがデバイス１０の組み立ての間にチューブ２２の角度位置に特別な注意を払う必要がないという点において有利である。
【００５１】
ゲート２６は、チューブ２２の周辺において、マウス縁部２４によって形成された表面全体の上にのしかかる表面を可能にし、それは、支承表面の幾何学形状を保証することを可能にする。実際に、支承表面は、溶接による組み立ての間に引き起こされる変形に対して、非常にわずかにだけ敏感であるか、または、まったく敏感ではない。有利には、チューブ２２は、大きい支承表面を有するために、２ｍｍに実質的に等しい厚さを有している。
【００５２】
ゲート２６は、平面的な構造的エレメント３１を含み、平面的な構造的エレメント３１は、枢動リンク２８によって支持されている。以前に述べられているように、枢動リンク２８は、この平面的な構造的エレメント３１に対してオフセットされている。換言すれば、軸線Ｒは、この平面的な構造的エレメント３１を通過していない。
【００５３】
有利には、ゲート２６は、衝撃吸収エレメント３２、たとえば、金属リブ３２を含み、金属リブ３２は、チューブ２２のマウス縁部２４と接触することを意図している。したがって、このケースでは、衝撃吸収エレメント３２は、平面的な接触表面３０を支承している。そのような金属リブ３２は、構造的エレメント３１へのスポット溶接によって組み立てられている。
【００５４】
衝撃吸収エレメント３２は、ゲート２６が閉鎖位置に行く場合に、ゲート２６とマウス縁部２４との間の衝突に起因する騒音を制限することを意図している。衝撃吸収エレメント３２は、とりわけ、それが金属リブから構成されているときには、チューブ２２とバルブ本体部２０との間のリークのわずかな供給源になる可能性があるが、そのようなリークは、非常に限定されており、無視することができる。そのようなリークは、とりわけ、従来技術のデバイスにおいて観察されるリークよりもはるかに小さい。
【００５５】
有利には、ゲート２６は、また、ライザー３４を含み、ライザー３４は、接触表面３０と反対側に、構造的エレメント３１によって支持されている。このライザー３４は、ゲート２６の質量を増加させることを可能にし、したがって、ゲート２６の特定の周波数を低減させ、次いで、排気ガスの脈動に対するその感度を減少させ、したがって、ゲート２６の振動を低減させることを可能にする。
【００５６】
熱交換器１４は、ゲート２６から上流においてバルブ１２と連通する交換器入口部３６と、ゲート２６から下流においてバルブ１２と連通する交換器出口部３８とを含む。したがって、交換器入口部３６は、チューブ２２と連通しており、交換器出口部３８は、バルブ本体部２０と連通している。
【００５７】
有利には、ゲート２６のライザー３４は、ゲート２６が解放位置にあるときには、交換器出口部３８を閉鎖するように構成されている。
【００５８】
たとえば、ライザー３４は、構造的エレメント３１から突出する湾曲した一般的な形状を有している。したがって、ライザー３４は、閉鎖位置と解放位置との間のゲート２６の中間位置に到達している場合に、交換器出口部３８を閉鎖する。このケースでは、したがって、ゲート２６の移動が完了していない場合でも、たとえば、デバイスがワックス作動手段を含む場合でも、交換器出口部３８が閉鎖される。
【００５９】
たとえば、ライザー３４は、２８°のゲートの開口部角度に到達すると、交換器出口部３８を閉鎖し始めるように構成されている。実際に、ワックス作動手段は、作動の数に応じて経年劣化し、新しいときに、開口部角度が３８°であっても、その寿命の終わりには、この開口部角度は２８°にしかならないようになっている。
【００６０】
したがって、移行温度が冷却剤回路の中で到達される場合には、ゲート２６の弓形ライザー３４が、交換器出口部開口部３８の中に挿入される。有利には、この交換器出口部３８は、調節されたリングを提供されており、調節されたリングは、ゲート２６が開けられている場合に交換器出口部３８におけるガスに関して利用可能なスペースを低減させる。したがって、交換器出口部３８がほとんど完全に閉鎖されており、ガスは、必然的に、交換器１４を回避しながら、チューブ２２およびバルブ本体部２０を通過する。
【００６１】
説明されている例では、回収デバイス１０は、チューブ２２と交換器入口部３６との間に延在する中間パイプ４０を含む。この中間パイプ４０は、長手方向Ｘに対して横断方向に延在している。
【００６２】
有利には、回収デバイス１０は、中間パイプ４０の入口部において、ガス入口部１６から通路１９に向けて来るガスをガイドすることができる上流デフレクター４２を含む。この上流デフレクター４２は、ゲート２６が解放位置にある場合に、ガス入口部１６から来るガスが、通路１９を通過することを保証することを可能にする。
【００６３】
たとえば、上流デフレクター４２は、この中間パイプ４０の過剰長さの変形によって、チューブ２２の中に延在している中間パイプ４０の一部によって形成されている。
【００６４】
有利には、上流デフレクター４２は、２ｍｍから１０ｍｍの間に含まれる高さまで、チューブ２２の中に延在している。
【００６５】
図４に示されている代替例によれば、回収デバイス１０は、下流デフレクター４４を含み、下流デフレクター４４は、中間パイプ４０の入口部から下流に、したがって、上流デフレクター４２から下流に、チューブ２２の中に配置されている。この下流デフレクター４４は、ゲート２６が解放位置にある場合に、交換器１４を通過するガスフローをさらに減少させ、中間パイプ４０に向けての開口部の断面を制限する。また、この下流デフレクター４４は、上流デフレクター４２から下流の渦生成を制限し、したがって、交換器１４に向けてのガスの流量を減少させる。
【００６６】
有利には、上流デフレクター４２は、下流デフレクター４４の高さよりも高い高さにわたって、チューブ２２の中に前進している。換言すれば、上流デフレクター４２は、下流デフレクター４４よりも、チューブ２２の中心の近くにある。したがって、上流デフレクター４２によって偏向させられるガスは、下流デフレクター４４によって中間パイプ４０に向けて偏向させられない。
【００６７】
たとえば、下流デフレクター４４は、２ｍｍから５ｍｍの間に含まれる高さまで、チューブ２２の中に延在している。
【００６８】
１つの代替例によれば、上流デフレクター４２および／または下流デフレクター４４は、チューブ２２と一体になっており、このチューブ２２の変形によって取得される。
【００６９】
別の代替例によれば、上流デフレクター４２および／または下流デフレクター４４は、チューブ２２と中間パイプ４０との間に取り付けられたパーツによって形成されている。
【００７０】
ここで、本発明による熱回収デバイス１０の動作が説明されることとなる。
【００７１】
回収デバイス１０は、２つの動作モード、すなわち、エネルギー回収モードおよび短絡モードを使用して働く。
【００７２】
回収デバイス１０は、冷却剤の温度が作動手段の活性化閾値を下回っている場合には、エネルギー回収モードになっている。次いで、ゲート２６は、閉鎖位置になり、チューブ２２のマウス縁部２４の上にのしかかる。したがって、ゲート２６は、チューブ２２の端部において排気ガスの通路を閉鎖する。次いで、ガス入口部１６から来る排気ガスは、第１に、中間パイプ４０を通して配向され、次いで、交換器１４のガス入口部３６の中に配向される。排気ガスは、交換器１４を横断し、次いで、バルブ本体部２０を横断し、ガス出口部１８に向かう。
【００７３】
回収デバイス１０は、冷却剤が作動手段の移行温度に到達する場合には、短絡モードになる。次いで、作動手段は、枢動リンク２８を回転させ、結果的に、ゲート２６を回転させる。ガス入口部１６に到達する排気ガスは、バルブ本体部２０に向けて直接的な通路１９を横断し、ゲート２６と縁部２４との間の解放された開口部を通る。
【００７４】
次いで、ゲート２６のライザー３４は、交換器出口部３８を閉鎖する。
【００７５】
以前に示されているように、上流デフレクター４２は、チューブ２２の下側パーツに向けてガスフローを偏向させることによって、交換器１４の中のガスの一部の通過を制限することを可能にする。したがって、ガスは、自然にチューブ２２を辿りやすくなる。そのうえ、交換器出口部３８が実質的に閉鎖されている場合に、交換器１４を通るガスの通過が、実用的に遮断される。
【００７６】
より具体的には、交換器出口部３８が実質的に閉鎖されている場合に、交換器を通過するガス流量は、チューブ２２を通過するガス流量の１％未満である。
【００７７】
例として、排気ガスの通過断面は、６０ｍｍ２であり、交換器を通過する流量は、チューブ２２を通る４１６ｋｇ／ｈの流量と比較して、８００℃において２．４ｋｇ／ｈだけである。調節されたリングのデフレクター４２および４４がなければ、この流量は、９．７ｋｇ／ｈになることとなるということが留意されるべきである。
【００７８】
ここで、回収デバイス１０を製造するための方法が説明されることとなる。
【００７９】
この方法は、閉鎖位置にあるゲート２６とマウス縁部２４との平面／平面接触を保証しなければならない。
【００８０】
したがって、方法は、チューブ２２を提供するステップであって、チューブ２２のマウス縁部２４は、たとえば、チューブ２２をカットすることによって、とりわけ、レーザー切断によって、先に形成されている、ステップを含む。したがって、マウス縁部２４は、平面の中に画定されており、長手方向Ｘに対して所定の角度、たとえば、６０°または９０°を形成している。
【００８１】
次に、方法は、チューブ２２の上にゲートサポートを装着するステップを含む。説明されている例では、ゲートサポートは、バルブ本体部２０の上に取り付けられ溶接されている支承部によって形成されている。
【００８２】
次に、方法は、バルブサポート（バルブ本体部２０）の上にゲート２６を組み立てるステップを含み、枢動リンク２８が、遊びを伴って装着される。この遊びは、ゲート２６の位置決めのフレキシビリティーを可能にし、このゲート２６を最適に位置決めするようになっている。
【００８３】
次に、方法は、マウス縁部２４と直接的な接触をした状態で、ゲート２６を閉鎖位置に位置決めすることを含む。そのように位置決めされたゲート２６は、枢動リンク２８の最終的な位置を決定することを可能にする。
【００８４】
最後に、方法は、ゲート２６を閉鎖位置に位置決めすることを考慮して、ゲートサポート（バルブ本体部２０）に対して枢動リンク２８の位置を設定することを含む。そのように設定された枢動リンク２８の位置は、閉鎖位置にあるゲート２６がマウス縁部２４に対して平面／平面接触の状態になることとなることを保証することを可能にする。
【００８５】
次に、デバイス１０の残りの部分が、チューブ２２およびバルブ本体部２０の周りで組み立てられる。
【００８６】
チューブ２２は、デバイス１０の中の構造的支持機能を有しているということが留意されることとなる。その理由は、バルブ本体部２０および中間パイプ４０がその上に装着されるからである。
【００８７】
本発明は、以前に説明されている実施形態に限定されず、さまざまな追加的な代替例の形態をとることが可能であるということが留意されることとなる。
【００８８】
とりわけ、デバイス１０の一般的な形状は、図に示されている形状とは異なり得る。
【符号の説明】
【００８９】
１０  回収デバイス
１２  バルブ
１４  熱交換器
１６  ガス入口部
１８  ガス出口部
１９  ガス通路
２０  バルブ本体部
２０Ａ  下側ハーフシェル
２０Ｂ  上側ハーフシェル
２２  チューブ
２４  マウス端部、端部縁部
２６  ゲート
２８  枢動リンク
２８Ａ  半関節体
２８Ｂ  半関節体
３０  平面的な接触表面
３１  平面的な構造的エレメント
３２  衝撃吸収エレメント、金属リブ
３４  ライザー
３６  交換器入口部
３８  交換器出口部
４０  中間パイプ
４２  上流デフレクター
４４  下流デフレクター
Ｒ  軸線
Ｘ  長手方向
【図１】
0006856754.tif 000002
【図２】
0006856754.tif 000003
【図３】
0006856754.tif 000004
【図４】
0006856754.tif 000005